(57)【要約】【課題】表示部を変形させる構成において、対象者の興味をより引き付けることが可能な構成とする。【解決手段】演出装置において、可撓性を有し、湾曲するよう動作可能な表示部と、前記表示部によって少なくとも一部が覆われた演出部材と、を備え、前記演出部材は、前記表示部が湾曲した際、湾曲によって移動した前記表示部が湾曲前の状態において位置していた部分を経由して前記表示部の背面側から前面側へ移動する。【選択図】図３
2019076540.tif 000002
【特許請求の範囲】
【請求項１】
可撓性を有し、湾曲するよう動作可能な表示部と、
前記表示部によって少なくとも一部が覆われた演出部材と、を備え、
前記演出部材は、前記表示部が湾曲した際、湾曲によって移動した前記表示部が湾曲前の状態において位置していた部分を経由して前記表示部の背面側から前面側へ移動する、
演出装置。
【請求項２】
前記表示部は、
第１の辺を有する第１の表示部と、
前記第１の辺と対向する第２の辺を有する第２の表示部とを含み、
前記第１の辺と前記第２の辺とが対向する位置で前記演出部材の少なくとも一部が覆われており、
前記第１の表示部の前記第１の辺が前面側に移動するように湾曲し、前記第２の表示部の前記第２の辺が前面側に移動するように湾曲した際、前記演出部材が移動する、
請求項１に記載の演出装置。
【請求項３】
前記第１の表示部および前記第２の表示部は、方形である、
請求項２に記載の演出装置。
【請求項４】
前記演出部材は、前記表示部の前面側から隠蔽される、
請求項１から請求項３のいずれか１項に記載の演出装置。
【請求項５】
可撓性を有し、湾曲するよう動作可能な表示部と、
前記表示部によって少なくとも一部が覆われた演出部材と、を備え、
所定の条件が満たされた場合、前記表示部は湾曲し、前記演出部材は、前記表示部が湾曲した際、湾曲によって移動した前記表示部が湾曲前の状態において位置していた部分を経由して前記表示部の背面側から前面側へ移動する、
遊技機。
【発明の詳細な説明】
【技術分野】
【０００１】
本発明の一態様は、広告およびアミューズメントに用いられる演出装置などに関する。
【背景技術】
【０００２】
遊技機において、ディスプレイを変形させて演出を行うことがある。このような遊技機は、たとえば特許文献１および特許文献２などに開示されている。
【先行技術文献】
【特許文献】
【０００３】
【特許文献１】特開２０１５−２０８６５１号公報
【特許文献２】特開２００７−２４４６７４号公報
【発明の概要】
【発明が解決しようとする課題】
【０００４】
広告装置および遊技機などにおいて、ディスプレイを変形させて演出を行う場合に、対象者の興味をより引き付けることが可能な技術が求められる。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
可撓性を有し、湾曲するよう動作可能な表示部（１３）と、
前記表示部（１３）によって少なくとも一部が覆われた演出部材（１４）と、を備え、
前記演出部材（１４）は、前記表示部（１３）が湾曲した際、湾曲によって移動した前記表示部（１３）が湾曲前の状態において位置していた部分（１３ｃ）を経由して前記表示部（１３）の背面（１３ｂ）側から前面（１３ａ）側へ移動する、
演出装置である。
【０００７】
上記構成の演出装置によれば、表示部が湾曲し、表示部の湾曲により開いた部分から演出部材を対象者に近づけるように移動させることができるので、演出部材が対象者に迫る演出を提供することができる。これにより、たとえば、演出部材に圧倒されるような感動を対象者に対して与えることができるので、表示部を変形させる構成において、対象者の興味をより引き付けることができる。
【０００８】
上記演出装置において、好ましくは、
前記表示部（１３）は、
第１の辺（１３Ｌｄ）を有する第１の表示部（１３Ｌ）と、
前記第１の辺（１３Ｌｄ）と対向する第２の辺（１３Ｒｄ）を有する第２の表示部（１３Ｒ）とを含み、
前記第１の辺（１３Ｌｄ）と前記第２の辺（１３Ｒｄ）とが対向する位置（１５）で前記演出部材（１４）の少なくとも一部が覆われており、
前記第１の表示部（１３Ｌ）の前記第１の辺（１３Ｌｄ）が前面（１３Ｌａ）側に移動するように湾曲し、前記第２の表示部（１３Ｒ）の前記第２の辺（１３Ｒｄ）が前面（１３Ｒａ）側に移動するように湾曲した際、前記演出部材（１４）が移動する。
【０００９】
上記構成の演出装置によれば、第１の辺と第２の辺とが対向する位置において、第１の表示部および第２の表示部が対象者に向かって湾曲して演出部材を飛び出させるための部分を形成することで、表示部が対象者に向かって突き破られたような演出を提供することができる。そして、形成された部分を経由して演出部材が背面側から前面側へ移動することで、たとえば、演出部材が表示部を突き破って対象者に迫るような演出を提供することができる。これにより、演出部材に圧倒されるような感動を対象者に対して与えることができる。
【００１０】
上記演出装置において、好ましくは、
前記第１の表示部（１３Ｌ）および前記第２の表示部（１３Ｒ）は、方形である。
【００１１】
上記構成の演出装置によれば、演出装置の構造を簡素化することができる。また、第１の表示部と第２の表示部との間から演出部材が現れる演出を行うことができる。
【００１２】
上記演出装置において、好ましくは、
前記演出部材（１４）は、前記表示部（１３）の前面（１３ａ）側から隠蔽される。
【００１３】
上記構成の演出装置によれば、対象者が視認できなかった演出部材が、対象者に迫るような演出を提供することができるので、たとえば、演出部材に圧倒されるような感動を対象者に対してより効果的に与えることができる。
【００１４】
また、本発明の別の手段は、
可撓性を有し、湾曲するよう動作可能な表示部（１３）と、
前記表示部（１３）によって少なくとも一部が覆われた演出部材（１４）と、を備え、
所定の条件が満たされた場合、前記表示部（１３）は湾曲し、前記演出部材（１４）は、前記表示部（１３）が湾曲した際、湾曲によって移動した前記表示部（１３）が湾曲前の状態において位置していた部分（１３ｃ）を経由して前記表示部（１３）の背面（１３ｂ）側から前面（１３ａ）側へ移動する、
遊技機である。
【００１５】
上記構成の遊技機によれば、たとえば、大当たりなどの所定条件が満たされたときに表示部が湾曲し、表示部の湾曲により開いた部分から演出部材を対象者に近づけるように移動させることができるので、演出部材が対象者に迫る演出を提供することができる。これにより、大当たりに応じて、演出部材に圧倒されるような感動を対象者に対して与えることができるので、表示部を変形させる構成において、対象者の興味をより引き付けることができる。
【図面の簡単な説明】
【００１６】
【図１】図１は、実施形態１の遊技機の構成を示す図である。
【図２】図２は、実施形態１の演出装置の動作前状態における前面側から見た斜視図である。
【図３】図３は、実施形態１の演出装置の動作後状態における前面側から見た斜視図である。
【図４】図４は、実施形態２の演出装置の動作前状態における前面側から見た斜視図である。
【図５】図５は、実施形態２の演出装置の動作後状態における前面側から見た斜視図である。
【図６】図６は、実施形態３の演出装置の動作前状態における前面側から見た斜視図である。
【図７】図７は、実施形態３の演出装置の動作後状態における前面側から見た斜視図である。
【発明を実施するための形態】
【００１７】
本発明の演出装置は、表示部が湾曲した際、湾曲によって移動した表示部が湾曲前の状態において位置していた部分を経由して、表示部の背面側から前面側へ演出部材が移動する構成としている点を特徴のひとつとする。
【００１８】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．実施形態３
４．補足事項
【００１９】
＜１．実施形態１＞
本発明の実施形態について、図面を参照しながら説明する。図１は、実施形態１の遊技機の構成を示す図である。図１に示されるように、実施形態１の遊技機２は、演出装置１、制御部１１、および駆動部１２を含んで構成される。演出装置１は、表示部１３および演出部材１４を含んで構成される。
【００２０】
＜遊技機２＞
遊技機２は、たとえば、パチンコ機、スロットマシン、およびアーケードゲーム機などであり、遊技者の操作に従って動作する。ここで、遊技者は、対象者の一具体例である。
【００２１】
＜制御部１１＞
制御部１１は、たとえば、半導体集積回路などのマイコンであり、遊技機２を制御する。制御部１１は、たとえば、所定条件が満たされた場合、駆動命令を駆動部１２へ出力する。ここで、所定条件は、たとえば、遊技機２において大当たりが発生したとき、およびゲームにおいて山場を迎えたときなどに満たされる。
【００２２】
＜駆動部１２＞
駆動部１２は、たとえば、外部から与えられた電力で動作するアクチュエータであり、制御部１１から駆動命令を受けて、演出装置１における表示部１３および演出部材１４を機械的に動作させる。ここで、駆動部１２が表示部１３および演出部材１４を機械的に動作させる前の状態を、動作前状態と称する。また、駆動部１２が表示部１３および演出部材１４を機械的に動作させた後の状態を、動作後状態と称する。
【００２３】
＜表示部１３＞
図２は、実施形態１の演出装置の動作前状態における前面側から見た斜視図である。図３は、実施形態１の演出装置の動作後状態における前面側から見た斜視図である。図２および図３に示されるように、表示部１３は、可撓性を有し、湾曲するよう動作可能である。詳細には、図２に示すように、表示部１３は、たとえば、有機ＥＬディスプレイであり、動作前状態において方形を有する。表示部１３は、表示面である前面１３ａと、背面１３ｂとを有する。なお、表示部１３は、有機ＥＬディスプレイに限らず、他の種類のディスプレイであってもよい。
【００２４】
＜演出部材１４＞
図２に示されるように、演出部材１４は、動作前状態において、表示部１３によって全部が覆われる。本実施形態において、演出部材１４は、表示部１３の前面側から隠蔽される。詳細には、演出部材１４は、たとえば、鮫などの動物の模型であり、プラスチックまたは金属で形成される。表示部１３の周囲は、たとえば、遊技者の操作により発射された遊技球が案内され流下する領域などを形成する遊技板（図示しない）に接続されており、表示部１３の前面１３ａ側に位置する遊技者は、動作前状態において演出部材１４を視認できない。
【００２５】
例えば遊技機２で大当たりが発生したときなど、上記の所定条件が満たされた場合、表示部１３は湾曲し、演出部材１４は、表示部１３が湾曲した際、湾曲によって移動した表示部１３が湾曲前の状態において位置していた部分１３ｃを経由して表示部１３の背面１３ｂ側から前面１３ａ側へ移動する。
【００２６】
詳細には、図２および図３に示されるように、表示部１３は、駆動部１２によって湾曲するように変形させられ、表示部１３が動作前状態において位置していた部分１３ｃに開口部を形成する。詳細には、表示部１３は、駆動部１２によって、演出部材１４に最も近接する辺１３ｄが前面１３ａ側に移動するように変形させられる。そして、演出部材１４は、駆動部１２によって、部分１３ｃを経由して表示部１３の背面１３ｂ側から前面１３ａ側へ移動させられる。
【００２７】
演出部材１４の移動は、たとえば、表示部１３の変形が完了した後に行われる。また、表示部１３の変形、および演出部材１４の移動が行われる際、表示部１３には、演出部材１４の移動に関連する画像が表示される。具体的には、たとえば、演出部材１４が鮫の模型である場合、表示部１３には、鮫に関連する画像が表示される。
【００２８】
なお、演出部材１４の移動は、表示部１３の変形が行われている最中に行われてもよい。この場合、表示部１３および演出部材１４が物理的に干渉しないように、演出部材１４の移動が行われる。また、たとえば、大当たり、およびゲームの盛り上がりシーンが終了し、所定条件が満たされなくなった場合、駆動部１２は、演出部材１４を動作前状態の位置に移動させるとともに、表示部１３を動作前状態の形状に戻してもよい。
【００２９】
上記構成の演出装置によれば、表示部１３が湾曲し、表示部１３の湾曲により開いた部分１３ｃから演出部材１４を遊技者に近づけるように移動させることができるので、演出部材１４が遊技者に迫る演出を提供することができる。これにより、演出部材１４に圧倒されるような感動を遊技者に対して与えることができるので、表示部を変形させる構成において、遊技者の興味をより引き付けることができる。また、表示部１３の退避スペースを削減可能なため、省スペースを実現することができる。
【００３０】
上記構成の遊技機によれば、たとえば、大当たりなどの所定条件が満たされたときに表示部１３が湾曲し、表示部１３の湾曲により開いた部分から演出部材１４を対象者に近づけるように移動させることができるので、演出部材１４が対象者に迫る演出を提供することができる。これにより、大当たりに応じて、演出部材１４に圧倒されるような感動を対象者に対して与えることができるので、表示部を変形させる構成において、対象者の興味をより引き付けることができる。
【００３１】
また、上記構成の演出装置では、演出部材１４が、表示部１３の前面１３ａ側から隠蔽されるため、遊技者が視認できなかった演出部材１４が、遊技者に迫るような演出を提供することができるので、演出部材１４に圧倒されるような感動を遊技者に対してより効果的に与えることができる。
【００３２】
＜２．実施形態２＞
次に、本発明の実施形態２について説明する。本実施形態は、実施形態１と比較して、１枚の表示部１３が２枚の表示部１３Ｌおよび１３Ｒに置き換えられる点で相違し、それ以外については同様である。以下、本実施形態が実施形態１の内容と相違する点について具体的に説明する。
【００３３】
＜表示部１３Ｌ、１３Ｒ＞
図４は、実施形態２の演出装置の動作前状態における前面側から見た斜視図である。図５は、実施形態２の演出装置の動作後状態における前面側から見た斜視図である。図４および図５に示されるように、表示部１３は、辺１３Ｌｄを有する表示部１３Ｌ、および辺１３Ｌｄと対向する辺１３Ｒｄを有する表示部１３Ｒを含んで構成される。図４に示すように、表示部１３Ｌおよび１３Ｒは、動作前状態において方形を有する。表示部１３Ｌは、前面１３Ｌａと、背面１３Ｌｂとを有する。表示部１３Ｒは、前面１３Ｒａと、背面１３Ｒｂとを有する。動作前状態において、前面１３Ｌａおよび１３Ｒａによって平面の表示面が形成される。
【００３４】
＜演出部材１４＞
図４に示されるように、演出部材１４は、動作前状態において、辺１３Ｌｄと辺１３Ｒｄとが対向する位置１５で演出部材１４の全部が覆われる。本実施形態において、演出部材１４は、動作前状態において、表示部１３Ｌおよび１３Ｒの前面側から隠蔽される。詳細には、表示部１３は、図２に示す表示部１３と同様に、たとえば、遊技板（図示しない）に接続されている。また、辺１３Ｌｄおよび辺１３Ｒｄは、動作前状態において、位置１５において互いに密着している。このため、表示部１３Ｌの前面１３Ｌａ側、言い換えると表示部１３Ｒの前面１３Ｒａ側に位置する遊技者は、動作前状態において演出部材１４を視認できない。
【００３５】
演出部材１４は、表示部１３Ｌの辺１３Ｌｄが前面１３Ｌａ側に移動するように湾曲し、表示部１３Ｒの辺１３Ｒｄが前面１３Ｒａ側に移動するように湾曲した際、演出部材１４が移動する。
【００３６】
詳細には、図４および図５に示されるように、表示部１３Ｌは、上記所定条件が満たされた場合、駆動部１２によって辺１３Ｌｄが前面１３Ｌａ側に移動するように変形させられる。同様に、表示部１３Ｒは、上記所定条件が満たされた場合、駆動部１２によって辺１３Ｒｄが前面１３Ｒａ側に移動するように変形させられる。表示部１３Ｌの変形および表示部１３Ｒの変形は、同期していてもよいし、異なったタイミングで行われてもよい。表示部１３Ｌおよび１３Ｒは、駆動部１２によって湾曲するように変形させられ、表示部１３Ｌが動作前状態において位置していた部分１３Ｌｃ、および表示部１３Ｒが動作前状態において位置していた部分１３Ｒｃに開口部を形成する。そして、演出部材１４は、駆動部１２によって、部分１３Ｌｃおよび１３Ｒｃを経由して表示部１３Ｌおよび１３Ｒの背面側から前面側へ移動させられる。演出部材１４の移動は、たとえば、表示部１３Ｌおよび１３Ｒの変形が完了した後に行われる。
【００３７】
なお、演出部材１４の移動は、部分１３Ｌｃおよび１３Ｒｃの両方を経由すると説明したが、部分１３Ｌｃおよび１３Ｒｃのいずれか一方を経由する構成であってもよい。
【００３８】
上記構成の演出装置では、表示部１３は、辺１３Ｌｄを有する表示部１３Ｌと、辺１３Ｌｄと対向する辺１３Ｒｄを有する表示部１３Ｒとを含む。辺１３Ｌｄと辺１３Ｒｄとが対向する位置１５で演出部材１４の少なくとも一部が覆われている。そして、表示部１３Ｌの辺１３Ｌｄが前面１３Ｌａ側に移動するように湾曲し、表示部１３Ｒの辺１３Ｒｄが前面１３Ｒａ側に移動するように湾曲した際、演出部材１４が移動する。これにより、位置１５において、表示部１３Ｌおよび１３Ｒが遊技者に向かって湾曲して演出部材１４を飛び出させるための部分１３Ｌｃおよび１３Ｒｃを形成することで、表示部１３が遊技者に向かって突き破られたような演出を提供することができる。そして、形成された部分１３Ｌｃおよび１３Ｒｃを経由して演出部材１４が背面１３Ｌｂ、１３Ｒｂ側から前面１３Ｌａ、１３Ｒａ側へ移動することで、演出部材１４が表示部１３を突き破って遊技者に迫るような演出を提供することができるので、演出部材１４に圧倒されるような感動を遊技者に対して与えることができる。
【００３９】
また、上記構成の演出装置では、表示部１３Ｌおよび１３Ｒが、方形であるため、演出装置１の構造を簡素化することができる。また、表示部１３Ｌと表示部１３Ｒとの間から演出部材１４が現れる演出を行うことができる。
【００４０】
＜３．実施形態３＞
次に、本発明の実施形態３について説明する。本実施形態は、実施形態１と比較して、１枚の表示部１３が４枚の表示部１３ＬＵ、１３ＬＬ、１３ＲＵおよび１３ＲＬに置き換えられる点で相違し、それ以外については同様である。以下、本実施形態が実施形態１の内容と相違する点について具体的に説明する。
【００４１】
＜表示部１３ＬＵ、１３ＬＲ、１３ＲＵ、１３ＲＬ＞
図６は、実施形態３の演出装置の動作前状態における前面側から見た斜視図である。図７は、実施形態３の演出装置の動作後状態における前面側から見た斜視図である。図６および図７に示されるように、表示部１３は、辺１３ＬＵｄおよび辺１３ＬＵｅを有する表示部１３ＬＵと、辺１３ＲＵｄおよび辺１３ＲＵｅを有する表示部１３ＲＵと、辺１３ＬＬｄおよび辺１３ＬＬｅを有する表示部１３ＬＬと、辺１３ＲＬｄおよび辺１３ＲＬｅを有する表示部１３ＲＬと、を含んで構成される。ここで、辺１３ＬＵｄと辺１３ＲＵｄとは対向する。辺１３ＬＬｄと辺１３ＲＬｄとは対向する。辺１３ＬＵｅと辺１３ＬＬｅとは対向する。辺１３ＲＵｅと辺１３ＲＬｅとは対向する。
【００４２】
図６に示すように、表示部１３ＬＵ、１３ＬＬ、１３ＲＵおよび１３ＲＬは、動作前状態において方形を有する。表示部１３ＬＵは、表示面である前面１３ＬＵａと、背面１３ＬＵｂとを有する。表示部１３ＬＬは、表示面である前面１３ＬＬａと、背面１３ＬＬｂとを有する。表示部１３ＲＵは、表示面である前面１３ＲＵａと、背面１３ＲＵｂとを有する。表示部１３ＲＬは、表示面である前面１３ＲＬａと、背面１３ＲＬｂとを有する。動作前状態において、前面１３ＬＵａ、１３ＬＬａ、１３ＲＵａ、および１３ＲＬａによって平面の表示面が形成される。
【００４３】
＜演出部材１４＞
図６に示されるように、演出部材１４は、動作前状態において、辺１３ＬＵｄと辺１３ＲＵｄとが対向する位置１５Ｕ、および辺１３ＬＬｄと辺１３ＲＬｄとが対向する位置１５Ｌで演出部材１４の全部が覆われる。本実施形態において、演出部材１４は、動作前状態において、表示部１３ＬＵ、１３ＬＬ、１３ＲＵおよび１３ＲＬの前面側から隠蔽される。
【００４４】
詳細には、表示部１３は、図２示す表示部１３と同様に、たとえば、遊技板（図示しない）に接続されている。辺１３ＬＵｄおよび辺１３ＲＵｄは、位置１５Ｕにおいて互いに密着している。辺１３ＬＬｄおよび辺１３ＲＬｄは、位置１５Ｌにおいて互いに密着している。また、辺１３ＬＬｅおよび辺１３ＬＵｅは、互いに密着している。辺１３ＲＬｅおよび辺１３ＲＵｅは、互いに密着している。このため、表示部１３の前面側に位置する遊技者は、動作前状態において演出部材１４を視認できない。
【００４５】
図６および図７に示されるように、表示部１３ＬＵは、上記所定条件が満たされた場合、駆動部１２によって辺１３ＬＵｄが前面１３ＬＵａ側に移動するように変形させられる。同様に、表示部１３ＬＬは、駆動部１２によって辺１３ＬＬｄが前面１３ＬＬａ側に移動するように変形させられる。表示部１３ＲＵは、駆動部１２によって辺１３ＲＵｄが前面１３ＲＵａ側に移動するように変形させられる。表示部１３ＲＬは、駆動部１２によって辺１３ＲＬｄが前面１３ＲＬａ側に移動するように変形させられる。
【００４６】
表示部１３ＬＵの変形、表示部１３ＬＬの変形、表示部１３ＲＵの変形、および表示部１３ＲＬの変形は、同期していてもよいし、異なったタイミングで行われてもよい。表示部１３ＬＵ、１３ＬＬ、１３ＲＵおよび１３ＲＬは、駆動部１２によって湾曲するように変形させられ、部分１３ＬＵｃ、１３ＬＬｃ、１３ＲＵｃおよび１３ＲＬｃに開口部を形成する。ここで、部分１３ＬＵｃ、１３ＬＬｃ、１３ＲＵｃおよび１３ＲＬｃは、表示部１３ＬＵ、１３ＬＬ、１３ＲＵおよび１３ＲＬがそれぞれ動作前状態において位置していた部分である。
【００４７】
そして、演出部材１４は、駆動部１２によって、部分１３ＬＵｃ、１３ＬＬｃ、１３ＲＵｃおよび１３ＲＬｃを経由して表示部１３ＬＵ、１３ＬＬ、１３ＲＵおよび１３ＲＬの背面側から前面側へ移動させられる。演出部材１４の移動は、たとえば、表示部１３ＬＵ、１３ＬＬ、１３ＲＵおよび１３ＲＬの変形が完了した後に行われる。
【００４８】
なお、演出部材１４の移動は、部分１３ＬＵｃ、１３ＬＬｃ、１３ＲＵｃおよび１３ＲＬｃのすべてを経由すると説明したが、部分１３ＬＵｃ、１３ＬＬｃ、１３ＲＵｃおよび１３ＲＬｃの一部を経由する構成であってもよい。
【００４９】
＜４．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００５０】
実施形態１の演出装置では、演出部材１４が、動作前状態において、表示部１３によって全部が覆われる構成について説明したが、演出部材１４は、動作前状態において、表示部１３によって一部が覆われる構成であってもよい。
【００５１】
また、実施形態２の演出装置では、演出部材１４が、動作前状態において、位置１５で演出部材１４の全部が覆われる構成について説明したが、演出部材１４は、動作前状態において、位置１５で演出部材１４の一部が覆われる構成であってもよい。
【００５２】
また、実施形態１〜３の演出装置では、表示部が前面側に変形する構成について説明したが、表示部が背面側に変形する構成であってもよい。
【００５３】
また、実施形態１〜３の演出装置では、演出部材１４が、表示部１３の前面側から隠蔽される構成について説明したが、演出部材１４が、表示部１３の前面側から隠蔽されない構成であってもよい。詳細には、たとえば、表示部１３の周囲の一部を遊技板（図示しない）と接続させずに隙間を設けてもよいし、図４に示す辺１３Ｌｄおよび辺１３Ｒｄを位置１５において互いに密着させずに隙間を設けてもよい。
【００５４】
また、実施形態１〜３では、演出装置１が、遊技機２の内部に設けられる構成について説明したが、演出装置１は、遊技機２の外部に独立して設けられる構成であってもよい。
【００５５】
また、実施形態１〜３では、演出装置１を遊技機２に用いる場合について説明したが、演出装置１は、広告装置などに用いられる構成であってもよい。
【００５６】
また、実施形態１〜３の演出装置では、表示部が方形である構成について説明したが、表示部は、任意の形状を有してもよい。
【産業上の利用可能性】
【００５７】
本発明は、遊技者の興趣を向上させる演出を実行可能なパチンコ遊技機およびスロットマシン、ならびに対象者の注目を向上させる演出を実行可能な広告装置などとして好適に利用される。
【符号の説明】
【００５８】
１…演出装置
２…遊技機
１１…制御部
１２…駆動部
１３…表示部
１３Ｌ、１３Ｒ…表示部
１３ＬＵ、１３ＬＬ、１３ＲＵ、１３ＲＬ…表示部
１３ａ、１３Ｌａ、１３Ｒａ…前面
１３ｂ、１３Ｌｂ、１３Ｒｂ…背面
１４…演出部材
１５、１５Ｌ、１５Ｕ…位置
【図１】
2019076540.tif 000003
【図２】
2019076540.tif 000004
【図３】
2019076540.tif 000005
【図４】
2019076540.tif 000006
【図５】
2019076540.tif 000007
【図６】
2019076540.tif 000008
【図７】
2019076540.tif 000009